(57)【特許請求の範囲】
【請求項１】
赤、緑、青の各色別の発光を色ごとにタイミングをずらせて行うＬＥＤを備えた光源と、前記ＬＥＤをそれぞれ独立に駆動する光源駆動回路と、前記光源からの入射光の通過を制御して表示を行う光シャッターと、該光シャッターの動作を制御するシャッター制御回路を備えたフィールド順次型のカラー表示装置において、前記赤色ＬＥＤとしてピーク波長λｐがλｐ＝６３０±１０ｎｍの色を発光するＬＥＤを用い、且つ光源のＲ（赤色）、G（緑色）、B（青色）のＬＥＤの輝度の比率Ｌｒ：Ｌｇ：Ｌｂを略１：１〜１．５：１〜２．５としたことを特徴とするカラー表示装置。
【請求項２】
前記光源のＲ（赤色）、Ｇ（緑色）、Ｂ（青色）のＬＥＤの輝度の比率Ｌｒ：Ｌｇ：Ｌｂを略１：１．５：２．５としたことを特徴とする請求項１に記載のカラー表示装置。
【請求項３】
前記光源のＲ（赤色）、Ｇ（緑色）、Ｂ（青色）のＬＥＤの輝度の比率Ｌｒ：Ｌｇ：Ｌｂを略１：１：１としたことを特徴とする請求項１に記載のカラー表示装置。
【請求項４】
前記光シャッターは複数のセグメントを有し、前記光源は赤、緑、青の各色の発光を行うＬＥＤが1個ずつで形成されるブロックが複数、直線に並んで配列し、ブロック同士の間隔がブロック内のＬＥＤの間隔よりも大であることを特徴とする請求項１乃至請求項３のいずれかに記載のカラー表示装置。
【請求項５】
前記光シャッターの複数のセグメントは選択的に白色、赤色、緑色、青色のうちのいずれかの色を表示することを特徴とする請求項１乃至請求項４のいずれかに記載のカラー表示装置。
【発明の詳細な説明】
【０００１】
【発明の属する技術分野】
本発明は色別の発光を行う発光素子を備えた光源と、該光源からの入射光の通過を制御して表示を行う光シャッターを備えたカラー表示装置に関する。
【０００２】
【従来の技術】
液晶、エレクトロクロミック、透明圧電素子等を用いた光シャッターを備えた受動型の表示装置は小型・薄型に適し、また消費電力も少ないという長所を有するので、情報機器や事務機器の表示装置として広く用いられている。そして近年これらの表示装置についても、表示の訴求力および多様性を高めるためカラー表示が要求されている。受動型のカラー表示装置としては、光源を白色発光素子または外部の自然光とし光シャッターの各表示画素毎に色別のカラーフィルタを設けた第１の方式のものと、特公昭６３ー４１０７８号公報に記載するように光源自体を色別の発光素子とする第２の方式のものがある。
【０００３】
受動型カラー表示装置における前記第２の方式のものは、前記公報に記載するように前記第１の方式のものに比して光シャッターの構造が簡単になるとともに、表示の明るさおよび解像度を上げることができる。ところで前記公報に記載された第２の方式のもののカラー表示の原理は光の三原色（赤色、緑色、青色またはＲ、Ｇ、Ｂ）の発光素子をタイミングをずらせて発光させ、それに液晶光シャッターの対応するセグメントを同期して開閉し、経時的な加法混色法により、所望のセグメントに所望の色を表示するものであり、フィールド順次型といわれるものである。
【０００４】
そして、このような光源の三原色（赤色、緑色、青色またはＲ、Ｇ、Ｂ）の発光素子としては、実用に適した発光ダイオード（ＬＥＤ）が用いられることが多い。そして、カラー表示装置において赤色ＬＥＤの任務としては、他のＬＥＤとの混色による白色と単独点灯での赤色に色分けをした表示が要求されることがある。
【０００５】
【発明が解決しようとする課題】
しかし、従来、光源として三原色の発光素子を用いた表示装置に関し、特にＬＥＤの発光素子を用いたものについては、次のような問題点があった。すなわち、上記のような色分け表示を行う場合、背景色として白色に表示したい部分を前記三原色のバランスを調整して純粋の白色で表示した場合、三原色の発光素子の輝度（明るさ）において、赤色の輝度が緑色および青色の輝度に比べて大幅に低下し色のバランスが崩れてしまうという問題があった。また逆に、赤色、緑色および青色の輝度を均等にすると、これらを混色して白色を表示しようとしても純粋の白色が得られず、赤みががった色となり、表示の鮮明さを損ねるという問題があった。
【０００６】
この現象につき、図面を用いて更に詳しく説明する。図９はＣＩＥ色度図といわれるものであり、座標の位置により色調を表すものである。ｘは赤の割合を、ｙは緑の割合を示す。そして、図には示していないが、ｚを青の割合とし、常に
ｘ＋ｙ＋ｚ＝１
の関係があるとしている。従ってｘｙ座標上の位置がきまれば、ｚは一義的に決まってしまい、赤、緑、青の割合が定まり、色調の特定ができる。純粋の白の座標Ｗは
ｘ＝ｙ＝（ｚ）＝１／３≒０．３３
である。三原色のＲ、Ｇのように青色の割合がゼロのときの色は
ｘ＋ｙ＝１
の直線ｍ上に位置し、赤が強いときは直線ｍ上を下降し下端のｘ＝１（ｙ＝０）の点に近づき、緑が強いときは直線ｍ上を上昇し、上端のｙ＝１（ｘ＝０）の点に近づく。なお、一般的には単色光のスペクトルの波長の増加に伴い光の色はｘｙ座標上を曲線Ｆに沿って時計回りに移動する。
【０００７】
加法混色の色表現の範囲はＣＩＥ色度図においてＲ、Ｇ、Ｂのなす略三角形に囲まれた範囲となる。従って、この略三角形の範囲に白色の座標Ｗが含まれることが必要であり、更に略三角形の面積についてはなるべく広いほうが良いと一般的に考えられてきた。三原色の発光素子としてＬＥＤを用いた場合も、従来は同様の観点からＲ、Ｇ、Ｂの色あいを選択していた。すなわち、Ｒとしては発光波長のピーク値λｐがλｐ＝６６０±１０ｎｍの発光色（以後ＵＲと呼ぶ。）のＬＥＤが、Ｇとしてはλｐ＝５７０±１０ｎｍの発光色（以後ＹＧと呼ぶ。）のＬＥＤまたはλｐ＝５５７±５ｎｍの発光色（以後ＰＧと呼ぶ。）のＬＥＤが、Ｂとしてはλｐ＝４４０ｎｍ±２０ｎｍの発光色（以後ＳＢと呼ぶ。）のＬＥＤが用いられてきた。これらのＲ、Ｇ、Ｂの色度図上の位置を図９に示す。なお、Ｇについては色表現の範囲を広げる上ではＰＧが適しているのであるが、ＰＧは発光効率が低いという理由により、輝度を上げにくいので、実際にはＧとしてＹＧが用いられることが多い。
【０００８】
Ｒ、Ｇ、Ｂの輝度の比率を変えることにより、前記略三角形の内部に位置する任意の色を表示することができる。この比率はおおまかに言えば、表示しようとする色の点が重心となるようにＲ、Ｇ、Ｂの各点に紙面に垂直に力を加えた場合の力の比率に等しいと考えられる。従って、純粋の白色であるＷの点を表示しようとすると、Ｒ、Ｇ、Ｂの輝度をＬｒ、Ｌｇ、Ｌｂとしたときおおまかに考えて
0003672279.tif 000002
となる。ただし、Ｂ、Ｗを通る直線と直線ＲＧの交点をＰとしたとき、ＲＰ、ＰＧの長さをそれぞれ、Ｘ１，Ｘ２とし、ＰＷ、ＷＢの長さをそれぞれＹ１、Ｙ２とする。
【０００９】
今、ＲがＵＲ（λｐ＝６６０ｎｍ）、ＧがＹＧ（λｐ＝５７０ｎｍ）、ＢがＳＢ（λｐ＝４４０ｎｍ）の場合は、図９に示すように、Ｗの点は略三角形ＲＧＢの辺ＧＢにかなり接近している。そして図から、
Ｘ１／Ｘ２＝８
Ｙ１／Ｙ２＝１
と考えると、三原色Ｒ、Ｇ、Ｂの輝度の比率Ｌｒ：Ｌｇ：Ｌｂは式（１）および式（２）より１：８：９となり、大幅にバランスが崩れる。この数値は、Ｒ、Ｇ、Ｂを単色光と仮定して計算した値であるが、実際のＬＥＤのＲ、Ｇ、Ｂはピーク波長λｐを中心とした連続スペクトルであり、輝度についても、ピーク値だけでなく分布の巾も考慮しなければならない。
【００１０】
図１０はＲ、Ｇ、Ｂとして上記のようにＵＲ（λｐ＝６６０ｎｍ）、ＹＧ（λｐ＝５７０ｎｍ）、ＳＢ（λｐ＝４４０ｎｍ）のＬＥＤを用いて、輝度バランスを調整して、純粋の白色を合成した場合の放射強度の波長分布の実測値（実線で示す値）を示す図である。横軸は波長を、縦軸は放射強度の相対的な値を示す。この実線のカーブは赤色（Ｒ）が他の原色、緑（Ｇ）および青（Ｂ）に比べて格段に暗くなっていることを示している。そして、この状態で、いわゆる白バランスが丁度とれているので、赤色を他の原色のように明るくしようとし、ＵＲ（λｐ＝６６０ｎｍ）のピーク値を高くして図の２点鎖線で示すレベルにすると、白バランスがくずれ、（後に詳述するように）合成色は赤みかかった色となる。なお、上記実測値（実線で示す値）についていえば、Ｒ、Ｇ、Ｂの輝度の比率は分布巾（および視感度に基づく輝度と放射強度の関係）まで考慮すると、前記の計算結果と一致した傾向を示す。
【００１１】
次に逆に、Ｌｒ＝Ｌｇ＝Ｌｂとし、三原色の輝度の比率を１：１：１とした場合には、（１）式および（２）式より、
Ｘ１＝Ｘ２
Ｙ２＝２Ｙ１
となり、これにより定められる合成色をＷ１とすると、図９に示すように合成色Ｗ１の座標は、純粋の白色Ｗの座標よりも大幅に右にずれており、かなり赤みかかった色となり、いわゆる白バランスが大幅に崩れる。
【００１２】
次に、ＧとしてＰＧ（λｐ＝５５７ｎｍ）のＬＥＤを用いた場合でも図９に示すようにほぼ
Ｘ１／Ｘ２＝３
Ｙ１／Ｙ２＝１
となり、三原色Ｒ、Ｇ、Ｂの輝度の比率Ｌｒ：Ｌｇ：Ｌｂは式（１）および式（２）より１：３：４となり、かなりバランスが崩れる。そして逆にＬｒ：Ｌｇ：Ｌｂを１：１：１とした場合には前記と同様の理由により、図示は省略するが合成色の座標は、純粋の白色Ｗの座標よりもかなり右にずれ、赤みかかった色となる。
【００１３】
本発明は従来の三原色のＬＥＤ等の光源を有する受動型のカラー表示装置における上記の問題を課題として解決し、三原色の輝度バランスと白色表示（白バランス）が共に良好なカラー表示装置を提供することを目的とする。
【００１４】
【課題を解決するための手段】
上記課題を解決するための第１の手段として本発明は、赤、緑、青の各色別の発光を色ごとにタイミングをずらせて行うＬＥＤを備えた光源と、前記ＬＥＤをそれぞれ独立に駆動する光源駆動回路と、前記光源からの入射光の通過を制御して表示を行う光シャッターと、該光シャッターの動作を制御するシャッター制御回路を備えたフィールド順次型のカラー表示装置において、前記赤色ＬＥＤとしてピーク波長λｐがλｐ＝６３０±１０ｎｍの色を発光するＬＥＤを用い、且つ光源のＲ（赤色）、G（緑色）、B（青色）のＬＥＤの輝度の比率Ｌｒ：Ｌｇ：Ｌｂを略１：１〜１．５：１〜２．５としたことを特徴とする。
【００１５】
上記課題を解決するための第２の手段として本発明は、前記光源のＲ（赤色）、Ｇ（緑色）、Ｂ（青色）のＬＥＤの輝度の比率Ｌｒ：Ｌｇ：Ｌｂを略１：１．５：２．５としたことを特徴とする。
【００１６】
上記課題を解決するための第３の手段として本発明は、前記光源のＲ（赤色）、Ｇ（緑色）、Ｂ（青色）のＬＥＤの輝度の比率Ｌｒ：Ｌｇ：Ｌｂを略１：１：１としたことを特徴とする。
また、上記課題を解決するための第４の手段として本発明は、前記光シャッターは複数のセグメントを有し、前記光源は赤、緑、青の各色の発光を行うＬＥＤが1個ずつで形成されるブロックが複数、直線に並んで配列し、ブロック同士の間隔がブロック内のＬＥＤの間隔よりも大であることを特徴とする。
また、上記課題を解決するための第５の手段として本発明は、前記光シャッターの複数のセグメントは選択的に白色、赤色、緑色、青色のうちのいずれかの色を表示することを特徴とする。
【００１７】
【発明の実施の形態】
以下図面に基づいて本発明のカラー表示装置の実施の形態を実施例について説明する。図１、図２および図３は本発明の好適な第１の実施例を示す図であり、図１はカラー表示装置の構造を示す斜視図である。図２は図１のＡ−Ａ断面図、図３は光源１の平面図である。図１において、１は光源でその構成は、基板２上に赤色の発光素子として発光の波長のピーク値λｐがλｐ＝６３０±１０ｎｍである発光色（以後ＳＤと呼ぶ。）のＬＥＤ３ｒ１を、緑色の発光素子としてλｐ＝５５７±５ｎｍであるＰＧのＬＥＤ３ｇ１を、青色の発光素子としてλｐ＝４４０±２０ｎｍであるＳＢのＬＥＤ３ｂ１を順次並べてＬＥＤブロック３を構成し、該ＬＥＤブロックから配列方向に若干離れて、同一構成のもう１つのＬＥＤブロック３を配列し、２つのＬＥＤブロック３を構成する。
【００１８】
光源１はＬＥＤブロック３からの発光を反射、集光する略矩形形状の反射枠４と、該反射枠４と基板１からの反射光およびＬＥＤブロック３からの直接光を面状に拡散し外部に投射する拡散板５を有し、該拡散板５は反射枠４の端面に取付けられている。光源１のＬＥＤブロック３の各ＬＥＤは光源駆動回路６により独立に駆動るすることができる。光源１の前面には該光源１から入射する光の通過を制御する光シャッターとしての液晶シャッター７を配置する。液晶シャッター７は表示セグメント８を有し、シャッター制御回路９は各表示セグメント８の光の透過状態を制御する。液晶シャッター７はセグメントタイプに限らずマトリクスタイプでもよい。この場合もシャッター制御回路９は各画素の光の透過状態を制御する。
【００１９】
第１の実施例の動作につき、説明する。光源駆動回路６から供給する点灯信号によって光源１においてＬＥＤを赤、緑、青の色ごとにタイミングをずらせて、一定の順序で点灯させる。すなわち、フィールド順次型の照明により、表示の１フィールドを３つのサブフィールドに分割し、例えば第１のサブフィールドには赤色として前記のＳＤのＬＥＤ３ｒ１を、第２のサブフィールドには緑色として前記のＰＧのＬＥＤ３ｇ１を、第３のサブフィールドには青色として前記のＳＢのＬＥＤ３ｂ１をサブフィールド毎に切り替えて点灯する。
【００２０】
一方このサブフィールドに同期してシャッター制御回路９から色別のデータ信号に基づく制御信号により液晶シャッター７の各表示セグメント８の透過状態を制御しフルカラー表示を行う。この方法自体は特公昭６３ー４１０７８号公報に記載された方法と同一であり、公知である。
【００２１】
あるセグメント８に白色を表示しようとするときは、そのセグメント８を第１、第２および第３のすべてのサブフィールドにおいて透過状態とするようにシャッター制御回路９により制御し、前記の三原色のＬＥＤの発光をすべて混色して白色を表示する。そして同時に他のセグメントを上記の原理により、赤、緑、青のいずれかに着色して表示することができる。
【００２２】
本実施例の表示装置において純粋の白色を表示するための三原色のＬＥＤの輝度の比率につき図面を用いて説明する。図４は本実施例の光源のＲ、Ｇ、Ｂの色の位置を示す色度図である。図４における記号で「発明が解決しようとする課題」の項において図９に示したのと同じ記号は同じ対象を表す記号である。本実施例においては、Ｒとして従来のＵＲ（λｐ＝６６０ｎｍ）よりもピーク波長の低いλｐ＝６３０±１０ｎｍであるＳＤのＬＥＤを用いているため、色度図においてＲの位置が直線ｍ上を従来よりも上昇し、Ｇに近づく形となり、
Ｘ１／Ｘ２＝１．５
Ｙ１／Ｙ２＝１
程度になり、純粋の白色を合成するＲ、Ｇ、Ｂの輝度の比率Ｌｒ：Ｌｇ：Ｌｂは、前記の式（１）および（２）から概算すると１：１．５：２．５となり従来例よりは、大幅に輝度のバランスが改善されることになる。
【００２３】
図５は本実施例において、純粋の白色を合成した場合の光源の波長分布の実測値を示す図である。横軸は波長を、縦軸は放射強度の相対的な値を示す。この図５の実測値を図１０に示した従来例における放射強度分布の実測値と対照させると、本実施例における  Ｒ、Ｇ、Ｂの輝度のバランスが従来に比して大幅に改善されていることがわかる。すなわち赤色（Ｒ）はＳＤとなって、純粋の赤よりも黄味かかっつた橙色となるものの、赤色（Ｒ）の明るさが他の原色、緑（Ｇ）および青（Ｂ）に比べて格別見劣りはしない。そして、この状態で、いわゆる白バランスが丁度とれているのである。図５においてＲ、Ｇ、Ｂの輝度の比率は分布巾（および視感度に基づく輝度と放射強度の関係）まで考慮すると、前記の計算結果と一致した傾向を示す。
【００２４】
また、本実施例において、逆にＲ、Ｇ、Ｂの輝度の比率Ｌｒ：Ｌｇ：Ｌｂを
１：１：１とした場合には（１）式および（２）式より、
Ｘ１＝Ｘ２
Ｙ２＝２Ｙ１
となり、これにより定められる合成色をＷ１とすると、図４に示すように合成色Ｗ１の座標は、純粋の白色Ｗの座標よりも右にずれるが、そのずれの量は図９に示す従来例に比して少なくなっている。従って、この場合でも従来よりも純粋の白に近い合成色を表示することができる。
このように本実施例によれば、赤表示の色調は真の赤から多少ずれるが、従来と異なり、三原色の色分け表示等における輝度の良好なバランスをとりつつ白バランスのとれた良好な白色表示をすることのできるカラー表示装置を構成することができる。
【００２５】
なお、本実施例においては、赤色、緑色、青色のＬＥＤの発光素子３ｒ１、３ｇ１、３ｂ１がブロック別の配列により、色ごとにかたまっておらず、互いに分散して配置されている。色ごとにかたまっている場合には、拡散板を用いても、光の拡散が理想的に行われないかぎり、拡散板から出て光シャッターに入射する光の強さは拡散板面の場所に依存して不均一となる。従って、表示される原色は色ごとに明るさのムラを生じ、表示される中間色は色調のムラを生ずる。しかし本実施例においては、光源において前記の色ごとの発光素子同士が適切な間隔をおいて配置されるので、表示における色ごとの明るさの場所による均一性がそこなわれず、色ごとの明るさのムラや、中間色の色調のムラを低減または阻止することができる。
【００２６】
本実施例のカラー表示装置の照明方法は上記のフィールド順次型に限らない。例えば画像を色分けをせずに表示する場合には、本実施例のカラー表示装置において、ＬＥＤブロック３の一部または全部を継続して発光させることにより、液晶シャッター７のセグメント８の一部また全部に三原色の各色のいずれか１つの色、中間色、または白色を表示することができる。これらの表示について、本実施例はすでに説明したのと同様の同等の作用・効果を有するものである。
【００２７】
以下図面に基づいて本発明のカラー表示装置の実施の形態を他の実施例について図面を用いて説明する。図６は本発明のカラー表示装置の第２の実施例の光源１の構成を示す平面図である。カラー表示装置のその他の部分の構成は第１図に示した第１の実施例と同様である。図６に示すように光源１の構成は、基板２上に赤色の発光素子として発光の波長のピーク値λｐがλｐ＝６３０±１０ｎｍであるＳＤのＬＥＤ３ｒ１を、緑色の発光素子としてλｐ＝５７０±１０ｎｍであるＹＧのＬＥＤ３ｇ２を、青色の発光素子としてλｐ＝４４０±２０ｎｍであるＳＢのＬＥＤ３ｂ１を順次並べてＬＥＤブロック３を構成し、該ＬＥＤブロック３から配列方向に若干離れて、同一構成のもう１つのＬＥＤブロック３を配列し、２つのＬＥＤブロック３を構成する。光源１に於けるその他の部分の構成およびその表示番号は第１の実施例と同様である。
【００２８】
本実施例においても、第１の実施例と同様の方法により、光源１および液晶シャッター７を駆動することにより、赤色、緑色、青色、白色の色分け表示や、中間色表示等を行うことができる。本実施例の表示装置において純粋の白色を表示するための三原色のＬＥＤの輝度の比率につき図面を用いて説明する。図７は本実施例の光源のＲ、Ｇ、Ｂの色の位置を示す色度図である。図７における記号は「発明が解決しようとする課題」の項において図９に示したのと同じ記号は同じ対象を表す記号である。
【００２９】
本実施例においては、図７に示すように、Ｒとして従来のＵＲ（λｐ＝６６０ｎｍ）よりもピーク波長の短いλｐ＝６３０ｎｍであるＳＤのＬＥＤを用いているため、従来よりもＸ１が減少する。しかし、Ｇについては＝５７０±１０ｎｍであるＹＧのＬＥＤ３ｇ２を用いたので、第１の実施例よりは波長が長くなり、Ｇの位置は直線ｍ上を下方に移動し、結果として第１の実施例よりは前記Ｘ２が減少し、ＧとしてＹＧのＬＥＤを用いた従来例（図９参照）のＸ２と同じになる。よって、Ｘ１／Ｘ２はこのような従来例（図９に示したような従来例）よりは小さくなるが、第１の実施例よりは大きくなり、結果として純粋の白を表示するための、Ｒ、Ｇ、ＢのＬＥＤの輝度のバランスはこのような従来例よりは改善されるが、第１の実施例よりは劣ったものとなる。しかし、本実施例はＧの発光素子としてＹＧのＬＥＤを使用しているのでＰＧのＬＥＤを使用する第１の実施例に対し、ＹＧの方がＰＧに比べ発光効率が高いため、Ｒの輝度ＬｒおよびＢの輝度Ｌｂも高くすることができ、高輝度化が容易となる。
【００３０】
以下図面に基づいて本発明のカラー表示装置の実施の形態を他の実施例について図面を用いて説明する。図８は本発明のカラー表示装置の第３の実施例の光源１の構成を示す平面図である。カラー表示装置のその他の部分の構成は第１図に示した第１の実施例と同様である。図８に示すように光源１の構成は、基板２上にＲの発光素子として発光の波長のピーク値λｐがλｐ＝６３０±１０ｎｍであるＳＤのＬＥＤ３ｒ１を、Ｇの発光素子としてλｐ＝５５７±５ｎｍであるＰＧのＬＥＤ３ｇ１を、Ｂの発光素子としてλｐ＝４４０±２０ｎｍであるＳＢのＬＥＤ３ｂ１を緑赤緑青の順すなわち、３ｇ１、３ｒ１、３ｇ１、３ｂ１に順次並べてＬＥＤブロック３を構成し、該ＬＥＤブロックから配列方向に若干離れて、同一構成のもう１つのＬＥＤブロック３を配列し、２つＬＥＤブロック３を構成する。光源１に於けるその他の部分の構成およびその表示番号は第１の実施例と同様である。
【００３１】
本実施例においてＬＥＤブロック３を構成するＬＥＤ発光素子の種類は第１の実施例と同様であり、従って、第１の実施例と同様にして三原色の色分け表示等における輝度の良好なバランスをとりつつ白バランスのよい白色表示をすることのできるカラー表示装置を構成することができる。
【００３２】
更に、本実施例においては、Ｒ、Ｇ、Ｂの発光素子を構成するＬＥＤの数の比率が順に１：２：１となっているので、Ｇとして用いられたＰＧのＬＥＤが他のＬＥＤに比して１個当たりの輝度を上げるのに不利であるにも拘らず、Ｇ全体としての輝度を他の色（Ｒ、Ｂ）と同じレベルに上げることが容易となっている点が第１の実施例よりも優れている。
【００３３】
なお、本実施例においては、Ｒ、Ｇ、ＢのＬＥＤの発光素子３ｒ１、３ｇ１、３ｂ１がブロック内配列およびブロック別の配列により、色ごとにかたまっておらず、互いに分散して配置されている。従って、第１の実施例と同様の理由により、色ごとの明るさのムラや、中間色の色調のムラを低減または阻止することができる。
【００３４】
【発明の効果】
以上説明したように、本発明によれば、赤、緑、青の各色別の発光を行うＬＥＤを備えた光源と、前記ＬＥＤをそれぞれ独立に駆動する光源駆動回路と、前記光源からの入射光の通過を制御して表示を行う光シャッターと、該光シャッターの動作を制御するシャッター制御回路を備えたカラー表示装置において、前記赤色ＬＥＤとしてＳＤの色を発光するＬＥＤを用いることにより、従来では困難であった各色の輝度のバランスと白色表示の両立を可能とし、前記各色別の発光の輝度の良好なバランスをとりつつ白バランスの良好な白色表示をすることのできるカラー表示装置を構成することができる。
【図面の簡単な説明】
【図１】本発明の第１の実施例を示すカラー表示装置の斜視図である。
【図２】図１のＡーＡ断面図である。
【図３】本発明の第１の実施例の光源を示す平面図である。
【図４】本発明の第１の実施例の光源のＲ、Ｇ、Ｂの色調を表示するＣＩＥ色度図である。
【図５】本発明の第１の実施例において白色を表示したときの光源のＲ、Ｇ、Ｂの発光の放射強度の測定結果を示す分光放射強度図である。
【図６】本発明の第２の実施例の光源を示す平面図である。
【図７】本発明の第２の実施例の光源のＲ、Ｇ、Ｂの色調を表示するＣＩＥ色度図である。
【図８】本発明の第３の実施例の光源を示す平面図である。
【図９】従来のカラー表示装置の光源のＲ、Ｇ、Ｂの色調を表示するＣＩＥ色度図である。
【図１０】従来のカラー表示装置において白色を表示したときの光源のＲ、Ｇ、Ｂの発光の放射強度の測定結果を示す分光放射強度図である。
【符号の説明図】
１  光源
２  基板
３  ＬＥＤブロック
４  反射枠
５  拡散板
６  光源駆動回路
７  液晶シャッター
８  表示セグメント
９  シャッター制御回路
【図１】
0003672279.tif 000003
【図２】
0003672279.tif 000004
【図３】
0003672279.tif 000005
【図４】
0003672279.tif 000006
【図５】
0003672279.tif 000007
【図６】
0003672279.tif 000008
【図７】
0003672279.tif 000009
【図８】
0003672279.tif 000010
【図９】
0003672279.tif 000011
【図１０】
0003672279.tif 000012